(57)【要約】  本発明のスライドファスナー(1,2)では、ファスナーテープ(11,17,18,19,41)が一重織組織にて織成されているとともに、同ファスナーテープ(11,17,18,19,41)には、二重織組織にて織成された二重織領域(13,13a,43) が、テープ長さ方向に沿って形成されている。この二重織領域(13,13a,43)のテープ内縁側とテープ外縁側とには、一重織組織の内側一重織領域(14,14a,14b,44)と外側一重織領域(15,45)とが形成されている。これにより、スライダー(30,60)が摺動操作されるときにスライダー(30,60)の下翼板側の稜線部(34c,64a)にファスナーテープ(11,17,18,19,41)が接触しても、二重織領域(13,13a,43)に配された緯糸(9)が切断され難くなり、スライドファスナー(1,2)の寿命を長く延ばすことが可能となる。
2013057807.tif 000002
【特許請求の範囲】
【請求項１】
織成された左右のファスナーテープ(11,17,18,19,41)の対向するテープ内側縁部(11b,17b) に沿ってエレメント列(20)が取着された一対のファスナーストリンガーと、前記エレメント列(20)を噛合又は分離可能なスライダー(30,60) とを有し、前記スライダー(30,60) は、上下翼板(33,34,63,64) と、前記上下翼板(33,34,63,64) 間を連結する案内柱(35)とを有するとともに、前記下翼板(34,64) 側の側縁部における前記上翼板(33,63) に対向する対向上面と前記下翼板(34,64) の外側面との間に稜線部(34c,64a)を有するスライドファスナー(1,2) であって、
前記ファスナーテープ(11,17,18,19,41)は、一重織組織にて織成されているとともに、同ファスナーテープ(11,17,18,19,41)には、二重織組織にて織成された二重織領域(13,13a,43) が、前記スライダー(30,60) の前記稜線部(34c,64a)の位置に対応してテープ長さ方向に沿って形成され、
前記ファスナーテープ(11,17,18,19,41)における前記二重織領域(13,13a,43)のテープ内縁側とテープ外縁側とには、前記一重織組織の内側一重織領域(14,14a,14b,44) と外側一重織領域(15,45) とが形成されてなる、
ことを特徴とするスライドファスナー。
【請求項２】
前記スライダー(30)における前記下翼板(34)の左右側縁部に下フランジ部(34b) が立設され、前記稜線部(34c) は、前記下フランジ部(34b) における上端面と外側面との間に配されてなる請求項１記載のスライドファスナー。
【請求項３】
前記ファスナーテープ(11,17,18,19) における前記二重織領域(13,13a,43) と前記内側一重織領域(14,14a,14b)との境界は、前記スライダー(30)の前記下フランジ部(34b) における内側面の位置と外側の前記稜線部(34c) の位置との間に配されてなる請求項２記載のスライドファスナー。
【請求項４】
前記スライダー(60)の前記下翼板(64)が平板状に形成され、前記稜線部(64a) は、前記下翼板(64)における上面と外側面との間に配されてなる請求項１記載のスライドファスナー。
【請求項５】
前記二重織組織は、袋織組織とされてなる請求項１〜４のいずれかに記載のスライドファスナー。
【請求項６】
前記ファスナーテープ(11,17,18,19)の前記テープ内側縁部(11b,17b)に芯紐(12)が織り込まれ、当該テープ内側縁部(11b,17b)に、前記エレメント列(20)を構成するファスナーエレメント(21,21a)が取着され、
前記ファスナーエレメント(21,21a)は、前記ファスナーテープ(11,18,19)を挟持する一対の脚部(24)又は前記ファスナーテープ(17)に固着された胴部を有し、
前記脚部(24)又は前記胴部におけるテープ幅方向の端部は、前記内側一重織領域(14,14a,14b)上に位置してなる、
請求項１〜３のいずれかに記載のスライドファスナー。
【請求項７】
前記二重織組織の領域(13,13a,43) には、８本以上１２本以下の経糸(9) が配されてなる請求項１〜６のいずれかに記載のスライドファスナー。
【請求項８】
前記ファスナーテープ(11,17,18,19) は、テープ内側縁に沿って芯紐部(11c) を有し、
前記芯紐部(11c) は、前記ファスナーテープ(11,17,18,19) における前記内側一重織領域(14,14a,14b)の更にテープ内側縁側に二重織組織が形成され、同二重織組織内に芯紐(12)が保持固定されることにより構成されてなる、
請求項１〜７のいずれかに記載のスライドファスナー。
【請求項９】
織成された左右のファスナーテープ(71)のテープ主体部(71a) とエレメント取付部(71c) との間にＵ字状に折り曲げられたテープ折曲部(71b) を備え、ファスナーエレメント(81)が、同ファスナーエレメント(81)の噛合頭部(82)を前記テープ折曲部(71b) から外方に突出させた状態で前記エレメント取付部(71c) に取着された一対の隠しタイプのファスナーストリンガー(70)と、前記ファスナーエレメント(81)のエレメント列を噛合又は分離可能なスライダー(90)とを有し、前記スライダー(90)は、上下翼板(93,94) と、前記上下翼板(93,94) 間を連結する案内柱(95)と、前記下翼板(94)の側縁部に直立状に立設された下フランジ部(94b) とを有し、前記下フランジ部(94b) は、前記上翼板(93)に対向する対向上面と前記下フランジ部(94b) の外側面との間に稜線部(94c) を有する隠しスライドファスナー(3) であって、
前記ファスナーテープ(71)は、一重織組織にて織成されているとともに、同ファスナーテープ(71)には、二重織組織にて織成された二重織領域が、前記スライダー(90)の前記稜線部(94c) の位置に対応してテープ長さ方向に沿って形成され、
前記ファスナーテープ(71)における前記二重織領域のテープ内縁側とテープ外縁側とには、前記一重織組織の内側一重織領域と外側一重織領域とが形成されてなる、
ことを特徴とする隠しスライドファスナー。
【請求項１０】
前記ファスナーテープ(71)における前記二重織領域と前記内側一重織領域との境界は、前記スライダー(90)の前記下フランジ部(94b) における内側面の位置と外側の前記稜線部(94c) の位置との間に配されてなる請求項９記載の隠しスライドファスナー。
【請求項１１】
前記二重織組織は、袋織組織とされてなる請求項１０記載の隠しスライドファスナー。
【請求項１２】
前記二重織組織の領域には、８本以上１２本以下の経糸が配されてなる請求項９〜１１のいずれかに記載の隠しスライドファスナー。
【発明の詳細な説明】
【技術分野】
【０００１】
本発明は、スライドファスナー及び隠しスライドファスナーに関し、特に、スライダーを繰り返し摺動させても、織成されたファスナーテープの緯糸が、スライダーによっては切断され難く構成されたスライドファスナー及び隠しスライドファスナーに関する。
【背景技術】
【０００２】
従来、鞄などの開口部を円滑に開閉するために、その開口部にはスライドファスナーが取り付けられており、スライダーをエレメント列に沿って同エレメント列の分離方向又は噛合方向に摺動させることにより、スライドファスナーが開閉される。【０００３】
このようなスライドファスナーにおいては、一般的に、開閉操作を円滑に行うために、スライダーの摺動性や操作性を向上させることや、スライダーを摺動させたときに当該スライダーのテープ挿通間隙に他部材が噛み込むことを防止することなどが望まれている。【０００４】
また、スライドファスナーでは、長期に渡ってスライダーが繰り返し摺動操作されることにより、スライダーとファスナーテープとの間に生じる摩擦によりファスナーテープが磨耗するという問題や、スライダーがファスナーテープに接触してファスナーテープの構成糸条を切断し、ファスナーテープを破損させるという問題が生じ易く、スライドファスナーの寿命を短くする要因となっていた。【０００５】
そこで、特公昭５６−４３７２３号公報（特許文献１）では、スライダーの摺動に起因するファスナーテープの磨耗やスライドファスナーの故障を防ぐために、ファスナーテープのテープ側縁部に凹溝部が形成されたスライドファスナーが開示されている。【０００６】
具体的に説明すると、この特許文献１に記載されているスライドファスナー１００は、図１３に示したように、織成された左右のファスナーテープ１０２の対向するテープ側縁部にエレメント列１０３が取着された一対のファスナーストリンガー１０１と、エレメント列１０３に沿って摺動可能に配されたスライダー１０４とを有している。【０００７】
ファスナーテープ１０２は、テープ主体部よりも厚さを増大させてテープ側縁に配されたテープ縁部１０２ａと、ファスナーテープ１０２を圧接することによりテープ表裏面に形成された凹溝部１０２ｂとを有しており、凹溝部１０２ｂは、エレメント列１０３に近接する位置にテープ長さ方向に沿って配されている。【０００８】
また、左右の各ファスナーテープ１０２に配された凹溝部１０２ｂには、スライダー１０４の上下フランジ部１０４ａ，１０４ｂが対応して配されており、当該スライダー１０４は、上下フランジ部１０４ａ，１０４ｂをファスナーテープ１０２の凹溝部１０２ｂに挿入した状態で摺動される。【０００９】
このような特許文献１のスライドファスナー１００であれば、左右のエレメント列１０３を噛合又は分離させるためにスライダー１０４を摺動させたときに、当該スライダー１０４がファスナーテープ１０２に接触するものの、スライダー１０４からファスナーテープ１０２に加えられる圧力を小さくすることが可能となる。このため、スライダー１０４の摺動が繰り返されても、ファスナーテープ１０２の磨耗が抑えられるため、スライドファスナー１００の寿命を延ばすことが可能となる。【００１０】
また、特許文献１によれば、ファスナーテープ１０２の凹溝部１０２ｂはファスナーテープ１０２を構成する経糸及び緯糸を圧接することにより形成されているため、この凹溝部１０２ｂは、経糸や緯糸における過度の滑りを防止するとともに、その滑りに関連するスライドファスナー１００の破損を防止する障壁として役立つとしている。
【先行技術文献】
【特許文献】
【００１１】
【特許文献１】特公昭５６−４３７２３号公報
【発明の概要】
【発明が解決しようとする課題】
【００１２】
スライドファスナーが鞄などの開口部に取着されて使用される場合、スライドファスナーを開閉するためにスライダーを摺動させる際に、通常は、スライダーの引手を引張りながらスライダーの摺動操作が行われている。このとき、スライダーは、引手によって斜め上方に引っ張られながら摺動する。【００１３】
このため、スライダーの下翼板に配した下フランジ部が、特に、下フランジ部における上端面と外側面との間に配される稜線部が、ファスナーテープのテープ裏面に接触しながらテープ長さ方向に沿って移動することが多い。また、前述の特許文献１のようにファスナーテープ１０２に、スライダー１０４の下フランジ部１０４ｂに対応する凹溝部１０２ｂを設けられている場合であっても、下フランジ部１０４ｂがファスナーテープ１０２に接触することを回避することは極めて困難であった。【００１４】
特にこの場合、ファスナーテープに対する下フランジ部の接触は、スライドファスナーを閉鎖するようにエレメント列の噛合方向にスライダーを摺動させる際に起こり易く、下フランジ部の肩口側端部が、ファスナーテープのテープ面に摺接することが多かった。【００１５】
ところで、織組織を有するファスナーテープは、一般に、双糸からなる緯糸と複数の経糸とを用いて、経糸の開口内にキャリアーバーの往復動にて緯糸を緯入することにより形成されている。この場合、ファスナーテープの経糸は、スライダーの摺動方向に対して平行な方向に沿って配され、緯糸は、スライダーの摺動方向に対して直交する方向に沿って配されており、これらの経糸や緯糸はファスナーテープの表裏の両テープ面に表出している。【００１６】
このような織組織のファスナーテープを用いて構成されたスライドファスナーにおいて、引手が引っ張られてスライダーが摺動操作されるときに、上述のようにスライダーの下フランジ部がファスナーテープに接触すると、スライダーの摺動方向に対して直交するように配された緯糸が、スライダーの下フランジ部によりスライダー摺動方向に傷付けられて損傷し易くなる。このため、スライダーの摺動が繰り返されることにより、下フランジ部が緯糸を切断してファスナーテープを破損させるため、スライドファスナーが長期の使用に耐えられないという問題があった。【００１７】
また、このような下フランジ部の接触に起因する緯糸の切断を発生し難くするために、例えば、ファスナーテープの下フランジ部が接触するテープ部分に配される経糸の本数を増やして経糸の密度を増大させることにより、当該テープ部分にて緯糸を経糸で隠すことが考えられる。【００１８】
すなわち、経糸は、スライダーの摺動方向に対して平行に配されていることにより、スライダーの摺動に対して緯糸よりも強くなるため、スライダーの摺動時に下フランジ部が経糸に接触しても、経糸は緯糸の場合よりも下フランジ部によっては切断され難くなる。このため、下フランジ部が接触するテープ部分における経糸の密度を増大させて、緯糸を下フランジ部に対して隠すことにより、緯糸の切断を生じ難くすることが考えられる。【００１９】
しかしながら、実際に下フランジ部が接触するテープ部分の経糸密度を増大させてファスナーテープを織成した場合、スライダーの摺動が繰り返されても経糸自体は切断され難いものの、経糸が下フランジ部から押圧力を繰り返し受けることにより、経糸の位置が次第にテープ幅方向にずれてしまい、当該テープ部分に目ずれが発生する。【００２０】
このような経糸の目ずれが一旦発生してしまうと、下フランジ部がファスナーテープのテープ長さ方向に沿って移動することに伴って、経糸の目ずれもテープ長さ方向に延びるように拡大し、その目ずれが生じたテープ部分では緯糸が完全に露呈するため、結果的に、その露呈した緯糸が下フランジ部によって簡単に切断されてしまう。【００２１】
特にこの場合、下フランジ部が接触するテープ部分にて経糸の密度を如何に増大させても、緯糸が伸長することもあって、スライダーの接触に起因する経糸の目ずれを防止することは難しく、緯糸の切断の問題を抜本的に解決する手段とは成り得なかった。【００２２】
本発明は上記従来の課題に鑑みてなされたものであって、その具体的な目的は、スライダーの摺動時に当該スライダーの一部がファスナーテープに接触しても、織成されたファスナーテープの緯糸を切断させ難くすることによりファスナーテープの破損を防ぎ、長期に渡って安定して使用することが可能なスライドファスナー及び隠しスライドファスナーを提供することにある。
【課題を解決するための手段】
【００２３】
上記目的を達成するために、本発明により提供されるスライドファスナーは、基本的な構成として、織成された左右のファスナーテープの対向するテープ内側縁部に沿ってエレメント列が取着された一対のファスナーストリンガーと、前記エレメント列を噛合又は分離可能なスライダーとを有し、前記スライダーは、上下翼板と、前記上下翼板間を連結する案内柱とを有するとともに、前記下翼板側の側縁部における前記上翼板に対向する対向上面と前記下翼板の外側面との間に稜線部を有するスライドファスナーであって、前記ファスナーテープは、一重織組織にて織成されているとともに、同ファスナーテープには、二重織組織にて織成された二重織領域が、前記スライダーの前記稜線部の位置に対応してテープ長さ方向に沿って形成され、前記ファスナーテープにおける前記二重織領域のテープ内縁側とテープ外縁側とには、前記一重織組織の内側一重織領域と外側一重織領域とが形成されてなることを最も主要な特徴とするものである。【００２４】
本発明に係るスライドファスナーは、前記スライダーにおける前記下翼板の左右側縁部に下フランジ部が立設され、前記稜線部は、前記下フランジ部における上端面と外側面との間に配されていることが好ましい。【００２５】
この場合、前記ファスナーテープにおける前記二重織領域と前記内側一重織領域との境界は、前記スライダーの前記下フランジ部における内側面の位置と外側の前記稜線部の位置との間に配されていることが特に好ましい。【００２６】
また、本発明に係るスライドファスナーは、前記スライダーの前記下翼板が平板状に形成され、前記稜線部は、前記下翼板における上面と外側面との間に配されて構成されていても良い。【００２７】
このような本発明に係るスライドファスナーにおいて、前記二重織組織は、袋織組織であることが好ましい。
また、前記ファスナーテープの前記テープ内側縁部に芯紐が織り込まれ、当該テープ内側縁部に、前記エレメント列を構成するファスナーエレメントが取着され、前記ファスナーエレメントは、前記ファスナーテープを挟持する一対の脚部又は前記ファスナーテープに固着された胴部を有し、前記脚部又は前記胴部におけるテープ幅方向の端部は、前記内側一重織領域上に位置していることが好ましい。【００２８】
更に、前記二重織組織の領域には、８本以上１２本以下の経糸が配されていることが好ましい。【００２９】
更にまた、本発明のスライドファスナーにおいて、前記ファスナーテープは、テープ内側縁に沿って芯紐部を有し、前記芯紐部は、前記ファスナーテープにおける前記内側一重織領域の更にテープ内側縁側に二重織組織が形成され、同二重織組織内に芯紐が保持固定されることにより構成されていることが好ましい。【００３０】
また、本発明により提供される隠しスライドファスナーは、織成された左右のファスナーテープのテープ主体部とエレメント取付部との間にＵ字状に折り曲げられたテープ折曲部を備え、ファスナーエレメントが、同ファスナーエレメントの噛合頭部を前記テープ折曲部から外方に突出させた状態で前記エレメント取付部に取着された一対の隠しタイプのファスナーストリンガーと、前記ファスナーエレメントのエレメント列を噛合又は分離可能なスライダーとを有し、前記スライダーは、上下翼板と、前記上下翼板間を連結する案内柱と、前記下翼板の側縁部に直立状に立設された下フランジ部とを有し、前記下フランジ部は、前記上翼板に対向する対向上面と前記下フランジ部の外側面との間に稜線部を有する隠しスライドファスナーであって、前記ファスナーテープは、一重織組織にて織成されているとともに、同ファスナーテープには、二重織組織にて織成された二重織領域が、前記スライダーの前記稜線部の位置に対応してテープ長さ方向に沿って形成され、前記ファスナーテープにおける前記二重織領域のテープ内縁側とテープ外縁側とには、前記一重織組織の内側一重織領域と外側一重織領域とが形成されてなることを最も主要な特徴とするものである。【００３１】
本発明に係る隠しスライドファスナーにおいて、前記ファスナーテープにおける前記二重織領域と前記内側一重織領域との境界は、前記スライダーの前記下フランジ部における内側面の位置と外側の前記稜線部の位置との間に配されていることが好ましい。【００３２】
また、前記二重織組織は、袋織組織であることが好ましい。
更に、前記二重織組織の領域には、８本以上１２本以下の経糸が配されていることが好ましい。
【発明の効果】
【００３３】
本発明に係る通常タイプのスライドファスナーでは、スライダーが下翼板側の側縁部における上翼板に対向する対向上面と下翼板の外側面との間に稜線部を有しており、また、ファスナーテープは一重織組織にて織成されているとともに、そのファスナーテープには、二重織組織にて織成された二重織領域が、スライダーの前記稜線部の位置に対応するテープ部分を含むテープ幅方向の所定の領域に、テープ長さ方向に沿って形成されている。【００３４】
この場合、二重織領域は、テープ第１面（上面）側に配される第１織部と、テープ第２面（下面）側に配される第２織部とを備えている。また、このファスナーテープには、前記二重織領域をテープ幅方向で挟むように当該二重織領域のテープ内縁側とテープ外縁側とに隣接して、一重織組織により織成された内側一重織領域と外側一重織領域とが形成されている。【００３５】
このような本発明のスライドファスナーにおいて、例えば引手が引っ張られてスライダーが摺動操作される場合、スライダーは、引手によって上述のように斜め上方に引っ張られながら摺動する。このとき、当該スライダーのエレメント案内路内を挿通するファスナーエレメントも、スライダーとともに上方に持ち上げられるため、ファスナーテープは、ファスナーエレメントが取着されているエレメント取付部からテープ外側縁部に向けて、テープ幅方向へ下り傾斜するように湾曲し、当該ファスナーテープの二重織領域がスライダーの下翼板側の稜線部に接触する。【００３６】
この場合、本発明のスライドファスナーでは、ファスナーテープを構成する緯糸が、二重織領域において、第１織部と第２織部とに交互に分かれて配されているため、第１及び第２織部のそれぞれに配される緯糸の密度が、内側一重織領域や外側一重織領域よりも小さくなり、二重織領域の外面側（すなわち、第１織部の上面側と第２織部の下面側）に露呈する経糸の割合が多くなる。【００３７】
このため、ファスナーテープにおけるスライダーの稜線部の位置に対応して配された二重織領域のテープ部分では、第２織部の下面側に露呈する緯糸の範囲（又は面積）が一重織組織の場合よりも小さくなって、緯糸がスライダーに直接接触し難くなる。また、当該テープ部分では、スライダーの接触を第２織部の下面側に露呈している多くの経糸で受けることができるため、緯糸がスライダーから受ける応力を低減し、緯糸をより効果的に保護することができる。【００３８】
従って、スライダーの摺動時に、ファスナーテープの二重織領域に配された第２織部がスライダーの下翼板側の稜線部に接触しても、第２織部の緯糸とスライダーとの接触が低減され、更に、第２織部の緯糸がスライダーに接触しても、当該緯糸が受ける損傷の程度を小さく抑えることができるため、スライダーの接触に起因する緯糸の切断を発生し難くすることができる。【００３９】
更に、本発明において、ファスナーテープが、上述のようにエレメント取付部からテープ外側縁部に向けて下り傾斜するように湾曲している場合、同ファスナーテープの二重織領域では、テープ上面側に配された第１織部が突っ張ってファスナーテープの湾曲を支えている。それによって、テープ下面側に配されて、スライダーの下翼板側の稜線部に接触する第２織部を若干弛ませた状態に保持し、第２織部にテープ幅方向へ動くことが可能な自由度を与えることができる。【００４０】
このようにファスナーテープの湾曲時に、スライダーの稜線部に接触する第２織部がテープ幅方向に自由度を有することにより、第２織部がスライダーとの接触時に押圧力を受けても、その押圧力を第２織部全体に分散させることができ、それにより、各経糸の位置がテープ幅方向にずれることを防いで、第２織部に経糸の目ずれが発生することを防止できる。【００４１】
従って、本発明のスライドファスナーでは、長期の使用においてスライダーの摺動が繰り返し行われても、経糸の目ずれによって緯糸が長く露呈することを防げるため、スライダーの摺動に起因する緯糸の切断が長期に渡って効果的に防止され、スライドファスナーの寿命をより長く延ばすことが可能となる。【００４２】
その上、本発明のスライドファスナーでは、ファスナーテープの二重織領域は、スライダーにおける下翼板側の稜線部の位置に対応して配されていることから、当該二重織領域は、ファスナーテープのファスナーエレメントに近接した位置に配されているとともに、スライダーの上下翼板間に形成されるテープ挿通間隙に対応して配されていると言い換えられる。【００４３】
一方、ファスナーテープの二重織領域は、経糸及び緯糸が上面側の第１織部と下面側の第２織部とに分かれて配されているため、同ファスナーテープの内側一重織領域や外側一重織領域に比べて高い柔軟性を有している。【００４４】
このような柔軟性に優れている二重織領域が、上述のようにファスナーエレメントに近接して配されていることにより、スライダーを摺動させてエレメント列を噛合・分離させる際に、各ファスナーエレメントの微小な動きを許容することが可能となる。また、エレメント列が、スライダー内に形成された略Ｙ字状のエレメント案内路を通る際に、ファスナーテープをエレメント案内路に沿うようにして容易に湾曲させることが可能となる。その結果、スライダーの摺動性及び操作性が大幅に向上し、スライダーの摺動操作を軽い力で円滑に行うことができる。【００４５】
また、ファスナーテープの二重織領域は、上面側の第１織部と下面側の第２織部とを有しているため、同ファスナーテープの内側一重織領域や外側一重織領域よりも、テープ厚さが厚く形成されている。【００４６】
このようにテープ厚さの厚い二重織領域が、上述のようにスライダーのテープ挿通間隙に対応して配されていることにより、その二重織領域がテープ挿通間隙の空間部分をより大きく塞ぐことができる。このため、スライダーを摺動させたときに、スライダーのテープ挿通間隙に、スライドファスナー以外の生地などの他部材が噛み込むことを効果的に防止でき、スライダーの摺動操作をより円滑に且つ安定して行うことができる。【００４７】
このような本発明のスライドファスナーにおいては、スライダーにおける下翼板の左右側縁部に下フランジ部が立設されており、且つ、ファスナーテープに接触する下翼板側の稜線部が、下フランジ部における上端面と外側面との間に配されている場合であっても、スライダーの接触に起因する緯糸の切断を効果的に防止できるとともに、スライダーの摺動性及び操作性を向上させて、スライダーの摺動操作を円滑に且つ安定して行うことができる。【００４８】
この場合、本発明のスライドファスナーでは、ファスナーテープにおける二重織領域と内側一重織領域との境界が、スライダーの下フランジ部における内側面の位置と外側の稜線部の位置との間に配されており、それによって、ファスナーテープの内側一重織領域が、下フランジ部における上端面と内側面との間に配される内側の稜線部の位置に対応するように配される。【００４９】
例えばスライドファスナーにおいて、スライダーの摺動が長期に渡って繰り返された場合、スライダーの下フランジ部とファスナーエレメントとの衝突が再三に渡り生じることにより、下フランジ部における内側の稜線部がテープ挿通間隙に向けて徐々に尖るように上翼板に向けて変形する現象が生じる。このように内側の稜線部が尖形に延びるにつれて、当該稜線部にファスナーテープが接触し易くなるとともに、当該稜線部とファスナーテープとの接触時にファスナーテープが切れ易くなる。【００５０】
従って、二重織領域と内側一重織領域との境界が上述のように配されることにより、下フランジ部における内側の稜線部に対応するファスナーテープのテープ部分が内側一重織領域により構成されていれば、当該テープ部分を二重織領域よりもテープ厚さを薄くすることができる。このため、下フランジ部における内側の稜線部が尖形に変形した場合でも、その内側の稜線部にファスナーテープが接触し難くなり、内側の稜線部に当たってファスナーテープが切れるという不具合の発生を長期に渡って抑制できる。【００５１】
また、本発明のスライドファスナーにおいては、スライダーの下翼板が平板状に形成されており、且つ、ファスナーテープに接触する下翼板側の稜線部が、下翼板における上面と外側面との間に配されている場合であっても、スライダーの接触に起因する緯糸の切断を効果的に防止できるとともに、スライダーの摺動性及び操作性を向上させて、スライダーの摺動操作を円滑に且つ安定して行うことができる。【００５２】
本発明のスライドファスナーにおいて、二重織組織が袋織組織であることにより、二重織領域にて、テープ上面側の第１織部と、テープ下面側の第２織部と確実に形成することができ、また、スライダーの摺動時に下翼板側の稜線部に接触する第２織部が、テープ幅方向への自由度を容易に有することができる。【００５３】
また、本発明のスライドファスナーでは、ファスナーテープのテープ内側縁部に芯紐が織り込まれ、当該テープ内側縁部に、エレメント列を構成するファスナーエレメントが取着されている。しかも、このファスナーエレメントは、ファスナーテープを挟持する一対の脚部又はファスナーテープに固着された胴部を有し、当該脚部又は胴部におけるテープ幅方向の端部は、内側一重織領域上に位置している。これにより、ファスナーテープに対してファスナーエレメントがしっかりと取り付けられるため、ファスナーエレメントの取り付け強度（又は固着強度）を安定して確保できる。【００５４】
更に、本発明における二重織領域には、８本以上１２本以下の経糸が配されている。二重織領域に配される経糸を８本以上にすることにより、ファスナーテープにおいてスライダーの稜線部の位置に対応するテープ部分をファスナーテープの二重織領域内に安定して位置させることができ、スライダーの接触に起因する緯糸の切断を安定して防止できる。【００５５】
また、二重織領域に配される経糸を１２本以下にすることにより、二重織領域が幅広になり過ぎることを防ぐ。それにより、当該二重織領域の第１織部と第２織部との間に大きな隙間が形成されることによって二重織領域がだぶつくことを防ぎ、ファスナーテープのテープ形態を安定させることができる。【００５６】
更に、本発明のスライドファスナーでは、ファスナーテープが、テープ内側縁に沿って芯紐部を有し、この芯紐部は、ファスナーテープにおける内側一重織領域の更にテープ内側縁側に二重織組織が形成され、同二重織組織内に芯紐が保持固定されることにより構成されている。これにより、ファスナーテープの芯紐部が、位置ずれを生じさせることなく、安定して設けられるため、ファスナーエレメントがファスナーテープのテープ内側縁部に強固に取着される。【００５７】
次に、本発明に係る隠しスライドファスナーでは、スライダーの下フランジ部が上翼板に対向する対向上面と下フランジ部の外側面との間に稜線部を有しており、また、ファスナーテープは一重織組織にて織成されているとともに、そのファスナーテープには、二重織組織にて織成された二重織領域が、スライダーの下フランジ部における前記稜線部の位置に対応するテープ部分を含むテープ幅方向の所定の領域に、テープ長さ方向に沿って形成されている。【００５８】
また、このファスナーテープには、前記二重織領域をテープ幅方向で挟むように当該二重織領域のテープ内縁側とテープ外縁側とに隣接して、一重織組織により織成された内側一重織領域と外側一重織領域とが形成されている。【００５９】
このような本発明の隠しスライドファスナーは、前述の通常タイプのスライドファスナーの場合と同様に、二重織領域にて第２織部のテープ第２面側に露呈する緯糸の範囲（又は面積）が一重織組織の場合よりも小さくなるため、第２織部の緯糸がスライダーの前記稜線部に直接接触し難くなる。また、スライダーの接触を第２織部の下面側に露呈している多くの経糸で受けることができるため、スライダーから緯糸が受ける応力を低減し、緯糸をより効果的に保護することができる。【００６０】
従って、スライダーの摺動時に、ファスナーテープの二重織領域に配された第２織部がスライダーの下フランジ部における前記稜線部に接触しても、第２織部の緯糸とスライダーとの接触が低減され、更に、第２織部の緯糸がスライダーに接触しても、当該緯糸が受ける損傷の程度を小さく抑えることができる。このため、スライダーの接触に起因する緯糸の切断を発生し難くすることができる。【００６１】
更に、本発明において、ファスナーテープの二重織領域では、二重織領域がテープ第２面側に折り曲げられたときに、テープ第１面側に配された第１織部が突っ張ってファスナーテープの湾曲を支える。それによって、テープ第２面側に配された第２織部を若干弛ませた状態に保持し、第２織部にテープ幅方向へ動くことが可能な自由度を与えることができる。【００６２】
このようにスライダーの下フランジ部における前記稜線部に接触する第２織部がテープ幅方向に自由度を有することにより、第２織部がスライダーとの接触時に押圧力を受けても、その押圧力を第２織部全体に分散させることができ、それにより、各経糸の位置がテープ幅方向にずれることを防いで、第２織部に経糸の目ずれが発生することを防止できる。【００６３】
従って、本発明の隠しスライドファスナーでは、長期の使用においてスライダーの摺動が繰り返し行われても、経糸の目ずれによって緯糸が長く露呈することを防げるため、スライダーの摺動に起因する緯糸の切断が長期に渡って効果的に防止され、隠しスライドファスナーの寿命をより長く延ばすことが可能となる。【００６４】
このような本発明の隠しスライドファスナーにおいて、ファスナーテープにおける二重織領域と内側一重織領域との境界は、スライダーの下フランジ部における内側面の位置と外側の前記稜線部の位置との間に配されており、それによって、ファスナーテープの内側一重織領域が、下フランジ部における上端面と内側面との間に配される内側の稜線部の位置に対応するように配される。【００６５】
このように下フランジ部における内側の稜線部に対応するファスナーテープのテープ部分が内側一重織領域により構成されていれば、当該テープ部分を二重織領域よりもテープ厚さを薄くできる。このため、例えばスライダーの摺動が長期に渡って繰り返されて下フランジ部における内側の稜線部が尖形に変形した場合でも、ファスナーテープがその内側の稜線部に接触し難くなり、内側の稜線部に当たってファスナーテープが切れるという不具合の発生を長期に渡って抑制できる。【００６６】
このような本発明の隠しスライドファスナーにおいて、二重織組織が袋織組織であることにより、二重織領域にて、テープ上面側の第１織部と、テープ下面側の第２織部と確実に形成することができ、また、スライダーの摺動時に下翼板側の稜線部に接触する第２織部が、テープ幅方向への自由度を容易に有することができる。【００６７】
更に、本発明における二重織領域には、８本以上１２本以下の経糸が配されている。二重織領域に配される経糸を８本以上にすることにより、ファスナーテープにおいてスライダーの稜線部の位置に対応するテープ部分をファスナーテープの二重織領域内に安定して位置させることができ、スライダーの接触に起因する緯糸の切断を安定して防止できる。【００６８】
また、二重織領域に配される経糸を１２本以下にすることにより、二重織領域が幅広になり過ぎることを防ぐ。それにより、当該二重織領域の第１織部と第２織部との間に大きな隙間が形成されることによって二重織領域がだぶつくことを防ぎ、ファスナーテープのテープ形態を安定させることができる。
【図面の簡単な説明】
【００６９】
【図１】本発明の実施例１に係るスライドファスナーを示す模式図である。
【図２】同スライドファスナーが使用される鞄を示す斜視図である。
【図３】同スライドファスナーにおけるファスナーテープの一部の織組織を模式的に示す組織図である。
【図４】同スライドファスナーの横断面図である。
【図５】引手が引っ張られてスライダーが摺動操作されるときのスライドファスナーを示す横断面図である。
【図６】同スライドファスナーの要部を拡大して示す要部断面図である。
【図７】引手が引っ張られてスライダーが摺動操作されるときのスライドファスナーの要部を拡大して示す要部断面図である。
【図８】実施例１の変形例に係るスライドファスナーにおけるファスナーテープの織組織を模式的に示す組織図である。
【図９】実施例１の別の変形例に係るスライドファスナーにおけるファスナーテープの織組織を模式的に示す組織図である。
【図１０】実施例１の更に別の変形例に係るスライドファスナーにおけるファスナーテープの織組織を模式的に示す組織図である。
【図１１】本発明の実施例２に係るスライドファスナーの要部を拡大して示す要部断面図である。
【図１２】本発明の実施例３に係る隠しスライドファスナーを示す断面図である。
【図１３】従来のスライドファスナーを示す断面図である。
【発明を実施するための形態】
【００７０】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００７１】
例えば、以下に説明する各実施例において、エレメント列を構成するファスナーエレメントの材質や形態は特に限定されるものではなく、任意に変更することができる。また、ファスナーエレメントは、ファスナーテープが織成された後に同ファスナーテープのテープ内側縁部に取着されても良いし、ファスナーテープの織成と同時に同ファスナーテープのテープ内側縁部に取着されても良い。
【実施例１】
【００７２】
図１は、本実施例１に係るスライドファスナーを示す模式図であり、図２は、同スライドファスナーが使用される鞄を示す斜視図である。また、図３は、ファスナーテープの一部の織組織を模式的に示す組織図である。更に、図４は、スライドファスナーの横断面図である。【００７３】
なお、以下の説明において、前後方向とは、ファスナーテープの長さ方向を指し、スライダーが摺動する摺動方向と同じ方向である。特に、左右のファスナーエレメントを噛合させてスライドファスナーを閉鎖するようにスライダーを摺動させる方向を前方とし、左右のファスナーエレメントを分離させてスライドファスナーを開くようにスライダーを摺動させる方向を後方とする。【００７４】
また、左右方向とは、ファスナーテープのテープ幅方向を指し、ファスナーテープのテープ面に平行で、且つ、テープ長さ方向に直交する方向である。更に、上下方向とは、ファスナーテープのテープ面に直交するファスナーテープの表裏方向を指し、特に、ファスナーテープに対してスライダーの引手が配されている側の方向を上方とし、その反対側の方向を下方とする。【００７５】
本実施例１に係るスライドファスナー１は、帯状のファスナーテープ１１のテープ内側縁部１１ｂにエレメント列２０が形成された通常タイプのスライドファスナーとして構成されている。この本実施例１のスライドファスナー１は、例えば図２に示すように、鞄５（ショルダーバック）の主収容部の開口部５ａや、外ポケットの開口部５ｂに取り付けられて用いられる。【００７６】
本実施例１のスライドファスナー１は、左右のファスナーテープ１１の対向するテープ内側縁部１１ｂに沿って複数の金属製ファスナーエレメント２１が列設されてエレメント列２０が形成された一対のファスナーストリンガー１０と、各ファスナーストリンガー１０の前端部にエレメント列２０に隣接して配された第１止具６（上止具とも言う）と、一対のファスナーストリンガー１０の後端部に跨るようにエレメント列２０に隣接して配された第２止具７（下止具とも言う）と、エレメント列２０に沿って摺動可能に配されたスライダー３０とを有している。【００７７】
ここで、本実施例１のスライドファスナー１は、ファスナーテープ１１に主要な特徴を有するものであり、ファスナーエレメント２１、第１及び第２止具６，７、並びにスライダー３０については、従来と同様のもの（特に、第１止具、第２止具、及びスライダーについては金属製ファスナーエレメント用のもの）を使用している。【００７８】
具体的には、本実施例１の金属製ファスナーエレメント２１は、噛合頭部２２と、噛合頭部２２から股部２３を介して分岐延設された一対の脚部２４とを備えている。また、噛合頭部２２の前面側（テープ長さ方向の前方側面側）には、噛合凸部が突設されており、噛合頭部２２の後面側（テープ長さ方向の後方側面側）には、噛合相手側の噛合凸部が嵌着する噛合凹部が凹設されている。【００７９】
このファスナーエレメント２１は、一対の脚部２４間にファスナーテープ１１の後述する芯紐部１１ｃを含むテープ内側縁部１１ｂ（エレメント取付部とも言う）が挿入された状態で、両脚部２４が互いに近接する方向（内側）に加締められてファスナーテープを挟むことにより、ファスナーテープ１１に所定の間隔で取り付けられている。この場合、ファスナーエレメント２１の脚部２４のテープ幅方向の端部（噛合頭部２２と反対のテープ内方側の端部）は、後述する内側一重織領域１４上に位置する。【００８０】
本実施例１のスライダー３０は、金属製ファスナーエレメント用のスライダーであり、スライダー胴体３１と、スライダー胴体３１に回動可能に保持される引手３２とを備えている。スライダー胴体３１は、上下翼板３３，３４と、上下翼板３３，３４の肩口側端部間を連結する案内柱３５と、上翼板３３の上面側に立設された引手取付柱３６と有している。【００８１】
上翼板３３は、上翼板本体３３ａと、上翼板本体３３ａの左右側縁部から下翼板３４に向けて垂設された左右の上フランジ部３３ｂとを備えている。下翼板３４は、下翼板本体３４ａと、下翼板本体３４ａの左右側縁部から上翼板３３に向けて立設された左右の下フランジ部３４ｂとを備えている。また、上翼板３３の上フランジ部３３ｂと、下翼板３４の下フランジ部３４ｂとの間には、左右のファスナーテープ１１を挿通させるテープ挿通間隙３７が形成されている。【００８２】
更に、スライダー胴体３１の前端には、案内柱３５を間に挟んで左右の肩口が形成されているとともに、スライダー胴体３１の後端には後口が形成されている。また、上下翼板３３，３４間には、左右の肩口と後口とを連通する略Ｙ字形状のエレメント案内路が形成されている。【００８３】
本実施例１のファスナーテープ１１は、双糸からなる緯糸８と複数の経糸９とを用いて、経糸９の開口内にキャリアーバーの往復動にて緯糸８を緯入することにより織成されている。なお、本発明において、ファスナーテープ１１を構成する経糸９及び緯糸８の材質や繊度は特に限定されるものではなく、従来のスライドファスナー１にて一般的に用いられている経糸及び緯糸と同様の糸を用いることができ、また、必要に応じて経糸９及び緯糸８の材質や繊度を任意に変更することもできる。【００８４】
このファスナーテープ１１は、図３に示すように、鞄５等のファスナー被着製品に縫い付けられるテープ主体部１１ａと、ファスナーエレメント２１が取り付けられるテープ内側縁部（エレメント取付部）１１ｂとを有しており、また、ファスナーテープ１１のテープ内側の側端縁には膨大状の芯紐１２が織り込まれた芯紐部１１ｃが配されている。この芯紐部１１ｃは、後述するように、ファスナーテープ１１のテープ側端縁に形成された袋織組織内に、芯紐１２が保持固定されることにより構成されている。【００８５】
また、同ファスナーテープ１１は、例えばスライダー３０の引手３２が引っ張られてスライダー３０の摺動操作が行われる場合、図５に示すように、スライダー３０における下フランジ部３４ｂの上端面（上翼板３３の上フランジ３３ｂと対向する対向上面）と外側面（ファスナーテープの上下方向に延び、下フランジ部３４ｂの上端面に直交する面）との間に挟まれて配される外側の稜線部３４ｃに接触し、このファスナーテープ１１とスライダー３０の下フランジ部３４ｂとの接触状態は、引手３２を摘んでスライダー３０が操作されている間は維持される。【００８６】
図５に示す摺動操作において、左右一対のファスナーストリンガー１０のファスナーエレメント２１を噛合させるようにスライダー３０を摺動すると、下フランジ部３４ｂの稜線部３４ｃが、特に、その稜線部３４ｃにおける肩口側の部分が、ファスナーテープ１１と接触する。また、この稜線部３４ｃは、下フランジ部３４ｂの肩口側において、下フランジ部３４ｂの外側面から内側面にかけて連続的に形成される場合もあり、この場合、その稜線部３４ｃは、後述する下フランジ部３４ｂの内側面と上端面との間に配される内側の稜線部３４ｄの一部を呈する。ここで、外側の稜線部３４ｃは、肩口側の部分におけるような下フランジ部３４ｂの外側面から内側面にかけて連続する表面部分を含むものとする。【００８７】
この場合、ファスナーテープ１１において、スライダー３０の摺動時に、下フランジ部３４ｂの外側の稜線部３４ｃに接触するテープ部分又は接触する可能性のあるテープ部分をスライダー接触部と規定し、このスライダー接触部は、スライダー３０における外側の稜線部３４ｃの位置に対応するように、テープ幅方向に所定の領域に亘って、ファスナーテープ１１のテープ長さ方向に沿って連続的に存在している。【００８８】
このようなスライダー接触部は、スライダー３０をファスナーテープ１１の上方に引っ張ること、又は、ファスナーテープ１１を下フランジ部３４ｂの方向へ引っ張ることで、下フランジ部３４ｂの外側の稜線部３４ｃに接触する箇所又は接触するおそれのある箇所である。【００８９】
また、スライダー接触部については、例えば、スライダー３０の下フランジ部３４ｂの内側面と外側面との間の寸法を測り、ファスナーエレメント２１の脚部２４から、その寸法分離れた位置をスライダー接触部として近似できるため、このように近似した位置を、下フランジ部３４ｂの外側の稜線部３４ｃの位置に対応するテープ部分となるスライダー接触部として特定することもできる。すなわち、ファスナーテープ１１のスライダー接触部は、通常の使用では下フランジ部３４ｂの外側の稜線部３４ｃに接触しなくても、例えばスライダー３０が強く引っ張られたときなどに、その外側の稜線部３４ｃに接触するおそれがある場合を含む。この外側の稜線部３４ｃの位置に対応するファスナーテープ１１の箇所は、外側の稜線部３４ｃを通る上下方向の仮想線を引いたときに、ファスナーテープ１１の表面と交差する箇所と換言することもできる。【００９０】
また、本実施例１のファスナーテープ１１は、図３に示したように、一重織組織にて織成されているとともに、テープ幅方向の所定領域が二重織組織にて織成された織構造を有している。
具体的に説明すると、本実施例１のファスナーテープ１１は、上述のスライダー接触部を含むテープ幅方向の所定領域に亘って配された二重織領域１３と、この二重織領域１３のテープ内縁側に隣接して配された内側一重織領域１４と、その内側一重織領域１４の更にテープ内縁側に配され、芯紐１２を保持するように袋織組織で織成された芯紐保持領域１６と、二重織領域１３のテープ外縁側に隣接して配された外側一重織領域１５と、ファスナーテープ１１の外側縁部にて、次位の緯糸８を順次引っ掛けてループの折り返し端を連結することにより形成された図示しない耳部とを有している。【００９１】
なお、ここで、ファスナーテープ１１のテープ内縁側とは、一対のファスナーストリンガー１０を平行に並べた状態において、その一対のファスナーストリンガー１０のテープ幅方向の中央側と表現することができ、テープ外縁側とは、ファスナーストリンガー１０のファスナーエレメントが取付けられる縁部と反対の縁部側と表現することができる。【００９２】
本実施例１において、スライダー接触部を含む二重織領域１３は、双糸からなる緯糸８と８本の経糸９とにより袋織組織で構成されており、図６などに示すように、テープ上面側に配される第１織部２５ａと、テープ下面側に配される第２織部２５ｂとを備えている。この場合、第１織部２５ａと第２織部２５ｂは、互いに分離して形成されており、内側一重織領域１４における二重織領域１３側の端部と、外側一重織領域１５における二重織領域１３側の端部において繋ぎ合わされている。【００９３】
また、二重織領域１３は、第１織部２５ａに配される４本の経糸９ａが１組の緯糸８の下側と３組の緯糸８の上側とを走行し、且つ、第２織部２５ｂに配される４本の経糸９ｂが３組の緯糸８の下側と１組の緯糸８の上側とを走行する１／３，３／１組織で構成されている。なお、本発明において、この二重織領域１３は、例えば１／４，４／１組織で構成することも可能である。【００９４】
このように構成された二重織領域１３においては、テープ幅方向に走行する緯糸８が第１織部２５ａと第２織部２５ｂとに交互に分かれて配されているため、第１及び第２織部２５ａ，２５ｂのそれぞれに配される緯糸８の密度が、内側一重織領域１４や外側一重織領域１５における緯糸８の密度の約半分の大きさとなる。【００９５】
このため、本実施例１の１／３，３／１組織で構成された二重織領域１３では、例えば当該領域が一重織組織で構成されているような従来の場合に比べて、第１織部２５ａの上面側及び第２織部２５ｂの下面側に露呈する緯糸８の割合（又は面積）が大幅に低減するとともに、第１織部２５ａの上面側及び第２織部２５ｂの下面側に露呈する経糸９の割合（又は面積）が増大している。【００９６】
更に、この二重織領域１３では、経糸９と緯糸８とが上面側の第１織部２５ａと下面側の第２織部２５ｂとに分かれて配されているため、同ファスナーテープ１１の内側一重織領域１４や外側一重織領域１５に比べて、柔軟性が高くなるとともに、テープ厚さも厚くなっている。【００９７】
本実施例１の内側一重織領域１４は、双糸からなる緯糸８と２本の経糸９とにより形成されており、１本の経糸９が１組の緯糸８の上側と１組の緯糸８の下側とを交互に走行する平織組織（１／１組織）で構成されている。これにより、内側一重織領域１４は、しっかりした構造を備えており、また、内側一重織領域１４におけるテープ厚さをより薄くするとともに内側一重織領域１４のテープ表面及び裏面を滑らかにすることができる。【００９８】
また、外側一重織領域１５は、双糸からなる緯糸８と複数本の経糸９とを用いて、二重織領域１３と耳部との間に形成されており、１本の経糸９が２組の緯糸８の上側と２組の緯糸８の下側とを交互に走行する綾織組織（２／２組織）で構成されている。【００９９】
このような内側一重織領域１４と外側一重織領域１５とが二重織領域１３を間に挟むようにして二重織領域１３に隣接して配されていることにより、二重織領域１３の織組織を安定させて、二重織領域１３に配されている経糸９の位置が緯方向にずれることを防いでいる。また、内側一重織領域１４は、芯紐保持領域１６の織組織を安定させるとともに、その芯紐保持領域１６に保持される芯紐１２の位置を固定する役割も果たしている。【０１００】
ここで、内側一重織領域１４と二重織領域１３との境界は、内側一重織領域１４に配される２本の経糸９（全ての緯糸と接触状態にある経糸）のうちの二重織領域１３側の経糸９と、その経糸９に対して隣接する二重織領域１３の経糸９（第１織部２５ａ及び第２織部２５ｂの一方を形成する緯糸のみと接触状態にある経糸）との間に位置する。つまり、芯紐部１１ｃに隣接する経糸９から、内側一重織領域１４の二重織領域１３に隣接する経糸９までが内側一重織領域１４の範囲である。【０１０１】
また、外側一重領域１５と二重織領域１３との境界は、外側一重織領域１５に配される経糸９（全ての緯糸と接触状態にある経糸）のうちの最も二重織領域１３側の経糸９と、その経糸９に対して隣接する二重織領域１３の経糸９（第１織部２５ａ及び第２織部２５ｂの一方を形成する緯糸のみと接触状態にある経糸）との間に位置する。つまり、外側一重領域１５の二重織領域１３に隣接する経糸９から耳部に隣接する経糸９までが外側一重織領域１５の範囲である。【０１０２】
本実施例１の芯紐保持領域１６は、二重織領域１３と同様の袋織組織で、すなわち、１／３，３／１組織で構成されており、テープ上面側に配される織部とテープ下面側に配される織部との間に芯紐１２が保持されている。【０１０３】
また、本実施例１のファスナーテープ１１において、テープ厚さの薄い内側一重織領域１４は、スライダー３０の下フランジ部３４ｂにおける上端面と内側面との間に配される内側の稜線部３４ｄの位置に対応して配され、内側一重織領域１４と二重織領域１３との境界は、下フランジ部３４ｂにおける内側面の位置と外側の稜線部３４ｃの位置との間に形成されている（図４及び図６を参照）。本実施例１のスライドファスナー１において、ファスナーテープ１１は、ファスナーエレメント２１に対してテープ表裏方向の略中央部に位置するとともに、スライダー３０のテープ挿通間隙３７に挿通されている。【０１０４】
この場合、ファスナーテープ１１の内側一重織領域１４は、ファスナーエレメント２１に挟持される芯紐部１１ｃに隣接して配されているため、ファスナーエレメント２１とスライダー３０との位置関係から、スライダー３０のテープ挿通間隙３７におけるテープ表裏方向の略中央部に位置し、スライダー３０の下フランジ部３４ｂや上フランジ部３３ｂには殆ど接触しない。【０１０５】
しかし、例えばスライドファスナー１の長期に渡る使用においては、スライダー３０の摺動が繰り返されることによって、下フランジ部３４ｂとファスナーエレメント２１が何回も衝突することにより、下フランジ部３４ｂにおける内側の稜線部３４ｄが、テープ挿通間隙３７に向けて上方に徐々に延びながら先端部を尖らせるように次第に塑性変形することがある。このように尖鋭に変形した内側の稜線部３４ｄが、上方に徐々に延びていくうちにファスナーテープ１１に接触してしまうと、スライダー３０を摺動させたときにファスナーテープ１１が切断される不具合が生じる。【０１０６】
このような不具合に対して、本実施例１のスライドファスナー１では、上述のようにテープ厚さの薄い内側一重織領域１４が、スライダー３０の下フランジ部３４ｂにおける内側の稜線部３４ｄの位置に対応して配されている。これにより、下フランジ部３４ｂにおける内側の稜線部３４ｄが上述のように上方に延びるように変形したとしても、その変形した内側の稜線部３４ｄをファスナーテープ１１に接触し難くすることができ、その結果、スライダー３０の当該内側の稜線部３４ｄによってファスナーテープ１１が切断される時期を大幅に遅らせて、スライドファスナー１の寿命を延ばすことが可能となる。【０１０７】
以上のような構成を有する本実施例１のスライドファスナー１は、例えばスライダー３０が操作されていないときには、左右のファスナーテープ１１が、上述したように、スライダー３０のテープ挿通間隙３７の略中央部に保持され、スライダー３０の下フランジ部３４ｂにも上フランジ部３３ｂにも接触していない状態となる（図４及び図６を参照）。【０１０８】
一方、例えば引手３２が引っ張られてスライダー３０が摺動操作される場合、図５及び図７に示したように、スライダー３０は、引手３２から引っ張り力を受けて、斜め上方に引っ張られながら摺動する。このとき、ファスナーテープ１１は、テープ内側縁部１１ｂからテープ外側縁部に向けて、テープ幅方向へ下り傾斜するように湾曲するため、スライダー３０は、下フランジ部３４ｂの上端面と外側面との間に配される外側の稜線部３４ｃと、ファスナーテープ１１の二重織領域１３とが接触した状態で、エレメント列２０に沿って摺動する。また、鞄に取付けたスライドファスナー１のスライダー３０が摺動操作される場合、鞄を肩掛けしたままの状態で摺動操作が行われることがあるため、この際には、スライダー３０が斜め上方に引っ張られながら摺動することがより顕著になる。【０１０９】
この場合、本実施例１のファスナーテープ１１においては、前述のように、二重織領域１３の第２織部２５ｂの下面側に露呈する緯糸８の面積が大幅に低減し、第２織部２５ｂの下面側に露呈する経糸９の面積が増大している。このため、緯糸８自体は、スライダー３０の下フランジ部３４ｂに直接接触し難くなるとともに、スライダー３０が第２織部２５ｂの下面側に露呈する経糸９に主に接触することとなるため、緯糸８がスライダー３０から受ける損傷の程度を小さく抑えることができる。従って、スライダー３０の摺動時にファスナーテープ１１の二重織領域１３がスライダー３０の下フランジ部３４ｂに直接接触しても、当該二重織領域１３に配された緯糸８が切断され難くなる。【０１１０】
更に、スライダー３０の摺動時に、ファスナーテープ１１が上述のようにテープ内側縁部１１ｂからテープ外側縁部に向けて下り傾斜するように湾曲している場合、二重織領域１３では、テープ上面側に配された第１織部２５ａが引き伸ばされてファスナーテープ１１の湾曲を支えるとともに、テープ下面側に配された第２織部２５ｂが、第１織部２５ａよりも円弧の内側に配されている分だけ、テープ幅方向に少し弛んだ状態で保持される。【０１１１】
このとき、スライダー３０の下フランジ部３４ｂに接触する第２織部２５ｂでは、テープ幅方向へ動くことが可能な自由度が第１織部２５ａよりも大きくなるため、第２織部２５ｂがスライダー３０の下フランジ部３４ｂに接触して応力を受けても、その応力を数本の経糸９のみに集中させることなく、第２織部２５ｂ全体に効果的に分散させることができる。それにより、第２織部２５ｂにおいて、各経糸９の位置がテープ幅方向にずれることを効果的に防いで、第２織部２５ｂに経糸９の目ずれが生じることを防止できる。【０１１２】
従って、本実施例１のスライドファスナー１では、スライダー３０の摺動が繰り返し行われても、二重織領域１３の第２織部２５ｂに経糸９の目ずれによって緯糸８が長く露呈することがないため、スライダー３０の接触によって緯糸８が切断される可能性を極めて小さくし、スライドファスナー１の寿命をより長く延ばすことが可能となる。【０１１３】
更に、本実施例におけるファスナーテープ１１の二重織領域１３では、上述のように、内側一重織領域１４や外側一重織領域１５に比べて、柔軟性が高くなるとともに、テープ厚さも厚くなっている。この二重織領域１３が高い柔軟性を有することにより、スライダー３０を摺動させてエレメント列２０を噛合・分離させる際に、各ファスナーエレメント２１の微小な動きを許容するとともに、ファスナーテープ１１をエレメント案内路に沿うようにして容易に湾曲させることが可能となる。その結果、スライダー３０の摺動性及び操作性が大幅に向上し、スライダー３０の摺動操作を軽い力で円滑に行うことができる。【０１１４】
また、スライダー３０のテープ挿通間隙３７を通る二重織領域１３が厚く形成されていることにより、テープ挿通間隙３７の空間部分が二重織領域１３によって大きく塞がれる。このため、スライダー３０が摺動しているときに、スライダー３０のテープ挿通間隙３７に、スライドファスナー１以外の生地などの他部材が噛み込むことを効果的に防止でき、スライダー３０の摺動操作をより円滑に且つ安定して行うことができる。【０１１５】
なお、本発明においては、前述のようにファスナーエレメントの材質や形態は任意に変更することができ、例えば図８に示したようなファスナーエレメント２１ａをファスナーテープ１７のテープ内側縁部１７ｂに取着することも可能である。この場合、ファスナーエレメント２１ａは、合成樹脂を射出成形することにより形成されており、ファスナーテープ１７に固着される胴部と、胴部から外方に向けて延出し、テープ長さ方向の寸法が狭まるように括れた形状を有する首部と、首部から外方に向けて更に延出した噛合頭部とを有している。この場合、ファスナーエレメント２１ａの胴部のテープ幅方向の端部（噛合頭部と反対のテープ内方側の端部）は、後述する内側一重織領域１４ａ上に位置する。【０１１６】
更に、本発明では、ファスナーテープにおける内側一重織領域及び外側一重織領域がそれぞれ一重織組織で形成されていれば、その具体的な織組織は特に限定されるものではない。例えば図８に示したように、内側一重織領域１４ａの織組織を、平織組織（１／１組織）から、１本の経糸９が２組の緯糸８の上側と２組の緯糸８の下側とを交互に走行する綾織組織（２／２組織）に変更してファスナーテープ１７を構成することも可能である。【０１１７】
このように内側一重織領域１４ａを２／２組織で構成することにより、内側一重織領域１４ａの柔軟性が高められるため、スライダー３０の摺動性や操作性を更に向上させることができる。また、内側一重織領域１４ａが２／２組織の場合、内側一重織領域１４ａのテープ厚さが、１／１組織の場合よりも厚くなる。【０１１８】
ファスナーテープ１７の内側一重織領域１４ａの厚さが厚くなることにより、ファスナーエレメント２１ａを上述のように合成樹脂を射出成形することによって形成する場合に、成形用金型間にファスナーテープ１７を安定して挟み込んだ状態で射出成形を行うことができる。このため、ファスナーエレメント２１ａをファスナーテープ１７の所定の位置に安定して形成できるとともに、射出成形時に湯漏れが生じることをより効果的に防止できる。【０１１９】
また、本発明では、スライドファスナー１の用途などに応じて、ファスナーテープの各領域に配される経糸９の本数を任意に変更することができる。例えば図９に示したように、ファスナーテープ１８の内側一重織領域１４ｂに配される経糸９の本数を４本に増やすこともできるし、また、図１０に示したように、ファスナーテープ１９の二重織領域１３ａに配される経糸９の本数を１２本に設定することもできる。【０１２０】
この場合、本発明の二重織領域１３，１３ａに配される経糸９の本数は、特に８本以上１２本以下に設定されることが好ましい。二重織領域１３，１３ａに配される経糸９が８本以上であることにより、ファスナーテープ１１のスライダー接触部を含む所定領域を、確実に二重織組織で構成することができる。また、二重織領域１３，１３ａに配される経糸９が１２本以下であることにより、二重織領域１３，１３ａの幅寸法が大きくなりすぎることを防ぎ、第１及び第２織部２５ａ，２５ｂが離間してファスナーテープ１１，１７，１８の形態が乱れることを防止できる。
【実施例２】
【０１２１】
図１１は、本実施例２に係るスライドファスナーの要部を拡大して示す要部断面図である。
本実施例２に係るスライドファスナー２は、通常タイプのスライドファスナーとして構成されており、左右のファスナーテープ４１の対向するテープ内側縁部に沿ってコイル状のファスナーエレメント５１が縫着された一対のファスナーストリンガー４０と、各ファスナーストリンガー４０の前端部及び後端部に配された図示しない第１及び第２止具と、ファスナーストリンガー４０の連続エレメント列に沿って摺動可能に配されたスライダー６０とを有している。【０１２２】
ここで、本実施例２のスライドファスナー２において、ファスナーエレメント５１は、従来のコイル状のファスナーエレメントと同様の構成を有しており、また、第１止具、第２止具、及びスライダー６０は、コイル状のファスナーエレメントに対して用いられる従来の第１止具、第２止具、及びスライダーと同様の構成を有している。【０１２３】
具体的には、本実施例２のコイル状ファスナーエレメント５１は、噛合頭部５２と、噛合頭部５２からテープ幅方向に延びるように配された上下脚部５３，５４と、当該ファスナーエレメント５１の上脚部５３を隣接する次位のファスナーエレメント５１の下脚部５４と連結する連結部５５とを有している。このファスナーエレメント５１は、上下脚部５３，５４間に芯紐５６を挿通させた状態で、縫製糸５７の二重環縫いによりファスナーテープ４１に縫着されることによって、連続エレメント列を形成している。【０１２４】
本実施例２のスライダー６０は、コイル状ファスナーエレメント５１用のスライダーであり、スライダー胴体６１と、スライダー胴体６１に回動可能に保持される図示しない引手とを備えている。スライダー胴体６１は、上下翼板６３，６４と、上下翼板６３，６４の肩口側端部間を連結する図示しない案内柱と、上翼板６３の上面に立設された図示しない引手取付柱と有している。【０１２５】
上翼板６３は、上翼板本体６３ａと、上翼板本体６３ａの左右側縁部から下翼板６４に向けて垂設された左右の上フランジ部６３ｂとを備えている。また、下翼板６４は平板状に形成されており、当該下翼板６４の左右側縁部には下フランジ部が設けられていない。この場合、上翼板６３の上フランジ部６３ｂと、下翼板６４の左右側縁部との間に、ファスナーテープ４１を挿通させるテープ挿通間隙６７が形成されている。【０１２６】
本実施例２におけるファスナーテープ４１は、双糸からなる緯糸８と複数の経糸９とを用いて織成されており、テープ主体部と、ファスナーエレメント５１が取り付けられるテープ内側縁部（エレメント取付部）とを有している。また、同ファスナーテープ４１は、スライダー６０の引手が引っ張られてスライダー６０の摺動操作が行われる場合に、スライダー６０における下翼板６４の上面（上翼板６３に対向する対向上面）と外側面（ファスナーテープの上下方向に延び、下翼板６４の上面に直交する面）との間に挟まれて配される稜線部６４ａに接触するスライダー接触部が、テープ長さ方向に沿って連続的に存在している。【０１２７】
また、本実施例２のファスナーテープ４１は、スライダー接触部を含むテープ幅方向の所定領域に亘って配された二重織領域４３と、この二重織領域４３のテープ内縁側に隣接して配された内側一重織領域４４と、二重織領域４３のテープ外縁側に隣接して配された外側一重織領域４５と、ファスナーテープ４１の外側縁部にて、次位の緯糸８を順次引っ掛けてループの折り返し端を連結することにより形成された図示しない耳部とを有している。この場合、ファスナーエレメント５１は、内側一重織領域４４上に位置している。【０１２８】
また、本実施例２における二重織領域４３、内側一重織領域４４、及び外側一重織領域４５の各織組織は、前述の実施例１におけるファスナーテープ１１の二重織領域１３、内側一重織領域１４、及び外側一重織領域１５とそれぞれ同様に構成されている。【０１２９】
以上のような本実施例２のスライドファスナー２では、例えば引手が引っ張られてスライダー６０が摺動操作される場合、スライダー６０の下翼板６４側の稜線部６４ａに、ファスナーテープ４１の二重織領域４３が接触するものの、前述の実施例１のスライドファスナー１の場合と同様に、二重織領域４３に配された緯糸８が切断され難くなる。また、スライダー６０の摺動が繰り返し行われても、二重織領域４３の第２織部２５ｂに経糸９の目ずれが生じることを防いで、緯糸８が切断される可能性を極めて小さくし、スライドファスナー２の寿命をより長く延ばすことが可能となる。【０１３０】
また、本実施例２のスライドファスナー２でも、ファスナーテープ４１の所定領域に二重織領域４３が配されていることにより、その二重織領域４３における柔軟性が高くなるとともに、テープ厚さも厚くなるため、スライダー６０の摺動性及び操作性が向上する効果が得られるとともに、スライダー６０のテープ挿通間隙６７に他部材が噛み込むことを効果的に防止できる。【０１３１】
なお、本実施例２のスライダー６０にあっても、下翼板６４の左右側縁部から上翼板６３に向けて立設された左右の下フランジ部を備えてもよい。この場合、下フランジ部は、上フランジ部６３ｂの上下方向の寸法よりも小さいものである。そして、上翼板６３の上フランジ部６３ｂと、下翼板６４の下フランジ部との間には、左右のファスナーテープ１１を挿通させるテープ挿通間隙が形成される。このスライダーにおいては、下フランジ部の上翼板６３と対向する上端面（対向上面）と、下フランジ部の外側面（ファスナーテープの上下方向に延び、下フランジ部の上端面に直交する面）との間に、稜線部が配される。
【実施例３】
【０１３２】
図１２は、本実施例３に係る隠しスライドファスナーを示す断面図である。
本実施例３に係る隠しスライドファスナー３は、一対の隠しタイプのファスナーストリンガー７０と、各ファスナーストリンガー７０の前端部及び後端部に配された図示しない第１及び第２止具と、ファスナーストリンガー７０の連続エレメント列に沿って摺動可能に配されたスライダー９０とを有している。【０１３３】
本実施例３における隠しタイプのファスナーストリンガー７０は、ファスナーテープ７１と、ファスナーテープ７１のエレメント取付部７１ｃに沿って配された連続エレメント列とを有しており、ファスナーテープ７１は、テープ主体部７１ａと、テープ主体部７１ａの一側縁から延設され、Ｕ字状に折り曲げられたテープ折曲部７１ｂと、テープ折曲部７１ｂから更に延設されたエレメント取付部７１ｃとを備えている。【０１３４】
連続エレメント列は、コイル状のファスナーエレメント８１が上下脚部８３，８４間に芯紐８６を挿通させた状態で、縫製糸８７の二重環縫いによりファスナーテープ７１に縫着されることによって構成されており、各ファスナーエレメント８１は、その噛合頭部８２をファスナーテープ７１のテープ折曲部７１ｂから外方に突出させるようにしてエレメント取付部７１ｃに取着されている。この場合、ファスナーテープ７１は、左右の連続エレメント列を噛合させたときに、左右のファスナーテープ７１のテープ折曲部７１ｂ同士が接触するように構成されている。【０１３５】
本実施例３のスライダー９０は、隠しスライドファスナー用のスライダーであり、スライダー胴体９１と、スライダー胴体９１に回動可能に保持される引手９２とを備えている。スライダー胴体９１は、上下翼板９３，９４と、上下翼板９３，９４の肩口側端部間を連結する案内柱９５と、上翼板９３の上面に立設された引手取付柱９６と有している。【０１３６】
上翼板９３は平板状に形成されており、当該上翼板９３の左右側縁部には上フランジ部が設けられていない。また、下翼板９４は、下翼板本体９４ａと、下翼板本体９４ａの左右側縁部から上翼板９３に向けて立設された左右の下フランジ部９４ｂとを備えている。この場合、上翼板９３の左右側縁部と下翼板９４の下フランジ部９４ｂとの間には、ファスナーテープ７１を挿通させるテープ挿通間隙９７が形成されている。【０１３７】
本実施例３において、ファスナーテープ７１は、双糸からなる緯糸と複数の経糸とを用いて織成されている。また、同ファスナーテープ７１は、スライダー９０の引手９２が引っ張られてスライダー９０の摺動操作が行われる場合に、スライダー９０の下フランジ部９４ｂにおける上端縁（先端縁）に接触する、特に、同下フランジ部９４ｂにおける上端面と外側面との間の外側の稜線部９４ｃに接触するスライダー接触部が、テープ長さ方向に沿って連続的に存在している。【０１３８】
また、本実施例３のファスナーテープ７１は、図示は省略するものの、スライダー接触部を含むテープ幅方向の所定領域に亘って配された二重織領域と、この二重織領域のテープ内縁側に隣接して配された内側一重織領域と、二重織領域のテープ外縁側に隣接して配された外側一重織領域と、ファスナーテープ７１の外側縁部にて、次位の緯糸を順次引っ掛けてループの折り返し端を連結することにより形成された耳部とを有している。【０１３９】
この場合、本実施例３における二重織領域、内側一重織領域、及び外側一重織領域の各織組織は、前述の実施例１及び実施例２におけるファスナーテープ１１，４１の場合と同様に構成されている。すなわち、本実施例３の二重織領域は、経糸９の本数が８本以上１２本以下に設定された袋織組織で構成されており、ファスナーエレメントが取着される側のテープ面となるテープ第１面（テープ外面）側に配される第１織部と、スライダー９０の下フランジ部９４ｂに接触するテープ第２面（テープ内面）側に配される第２織部とを備えている。【０１４０】
また、本実施例３のファスナーテープ７１において、内側一重織領域と二重織領域との境界は、スライダー９０の下フランジ部９４ｂにおける内側面の位置と外側の稜線部９４ｃの位置との間に形成されており、テープ厚さの薄い内側一重織領域は、スライダー９０の下フランジ部９４ｂにおける上端面と内側面との間に配される内側の稜線部の位置に対応して配されている。【０１４１】
以上のような本実施例３の隠しスライドファスナー３では、実施例１及び実施例２における通常タイプのスライドファスナー１，２の場合と同様に、二重織領域において、第２織部のテープ第２面側に露呈する緯糸の面積が大幅に低減するとともに、同テープ第２面側に露呈する経糸の面積が増大している。【０１４２】
このため、二重織領域における第２織部の緯糸は、スライダー９０の下フランジ部９４ｂにおける外側の稜線部９４ｃに直接接触し難くなるとともに、緯糸がスライダー９０から受ける損傷の程度を小さく抑えることができる。従って、スライダー９０の摺動時にファスナーテープ７１の二重織領域が、スライダー９０の下フランジ部９４ｂにおける外側の稜線部９４ｃに接触しても、当該二重織領域に配された緯糸が切断され難くなる。【０１４３】
更に、この隠しスライドファスナー３において、テープ折曲部７１ｂに形成されている二重織領域では、テープ第１面側に配された第１織部が引き伸ばされてファスナーテープ７１の折り曲げ形態を支えるとともに、テープ第２面側に配された第２織部が、第１織部よりも内側に配されている分だけ、テープ幅方向に少し弛んだ状態で保持される。【０１４４】
このとき、テープ折曲部７１ｂにてスライダー９０における外側の稜線部９４ｃに接触する第２織部では、テープ幅方向へ動くことが可能な自由度が第１織部よりも大きくなるため、第２織部がスライダー９０における外側の稜線部９４ｃに接触して応力を受けても、その応力を第２織部全体に効果的に分散させることができる。これにより、第２織部では、各経糸の位置がテープ幅方向にずれることを効果的に防いで、第２織部に経糸の目ずれが生じることを防止できる。【０１４５】
従って、本実施例３の隠しスライドファスナー３では、スライダー９０の摺動が繰り返されても、ファスナーテープ７１の二重織領域において、経糸の目ずれに起因して緯糸が長く露呈することがないため、スライダー９０の接触によって緯糸が切断される可能性が極めて小さくなり、隠しスライドファスナー３の寿命をより長く延ばすことが可能となる。
【符号の説明】
【０１４６】
１，２            スライドファスナー
３                隠しスライドファスナー
５                鞄（ショルダーバック）
５ａ，５ｂ        開口部
６                第１止具
７                第２止具
８                緯糸
９，９ａ，９ｂ    経糸
１０                ファスナーストリンガー
１１                ファスナーテープ
１１ａ              テープ主体部
１１ｂ              テープ内側縁部（エレメント取付部）
１１ｃ              芯紐部
１２                芯紐
１３，１３ａ        二重織領域
１４                内側一重織領域
１４ａ，１４ｂ      内側一重織領域
１５                外側一重織領域
１６                芯紐保持領域
１７                ファスナーテープ
１７ｂ              テープ内側縁部
１８                ファスナーテープ
１９                ファスナーテープ
２０                エレメント列
２１，２１ａ        ファスナーエレメント
２２                噛合頭部
２３                股部
２４                脚部
２５ａ              第１織部
２５ｂ              第２織部
３０                スライダー
３１                スライダー胴体
３２                引手
３３                上翼板
３３ａ              上翼板本体
３３ｂ              上フランジ部
３４                下翼板
３４ａ              下翼板本体
３４ｂ              下フランジ部
３４ｃ              外側の稜線部
３４ｄ              内側の稜線部
３５                案内柱
３６                引手取付柱
３７                テープ挿通間隙
４０                ファスナーストリンガー
４１                ファスナーテープ
４３                二重織領域
４４                内側一重織領域
４５                外側一重織領域
５１                ファスナーエレメント
５２                噛合頭部
５３                上脚部
５４                下脚部
５５                連結部
５６                芯紐
５７                縫製糸
６０                スライダー
６１                スライダー胴体
６３                上翼板
６３ａ              上翼板本体
６３ｂ              上フランジ部
６４                下翼板
６４ａ              稜線部
６７                テープ挿通間隙
７０                ファスナーストリンガー
７１                ファスナーテープ
７１ａ              テープ主体部
７１ｂ              テープ折曲部
７１ｃ              エレメント取付部
８１                ファスナーエレメント
８２                噛合頭部
８３                上脚部
８４                下脚部
８６                芯紐
８７                縫製糸
９０                スライダー
９１                スライダー胴体
９２                引手
９３                上翼板
９４                下翼板
９４ａ              下翼板本体
９４ｂ              下フランジ部
９４ｃ              稜線部
９５                案内柱
９６                引手取付柱
９７                テープ挿通間隙
【図１】
2013057807.tif 000003
【図２】
2013057807.tif 000004
【図３】
2013057807.tif 000005
【図４】
2013057807.tif 000006
【図５】
2013057807.tif 000007
【図６】
2013057807.tif 000008
【図７】
2013057807.tif 000009
【図８】
2013057807.tif 000010
【図９】
2013057807.tif 000011
【図１０】
2013057807.tif 000012
【図１１】
2013057807.tif 000013
【図１２】
2013057807.tif 000014
【図１３】
2013057807.tif 000015
【国際調査報告】
2013057807.tif 000016
2013057807.tif 000017
2013057807.tif 000018
2013057807.tif 000019
2013057807.tif 000020
2013057807.tif 000021
2013057807.tif 000022